(57)【要約】      （修正有）【課題】海釣りで遠投をする時の飛び出しを自動化できるトップガイドを提供する。【解決手段】基盤１の前部に飛び出し盤２を回転可能に支点軸３で連結し、基盤１には静止具１９を収納する収納部を設け、途中に静止具１９のついた釣り糸を基盤１の後部から飛び出し盤２の静止具通路１１を通して先端部に仕掛けを取り付け、遠投した時の仕掛けの遠心力で飛び出し盤２が回転し、静止具１９が解放され仕掛けが海に向かって飛び出して行くもので、飛び出し調整ネジ４にて静止具１９の収納部を上下させ飛び出しを調整できる自動飛び出し機能付きトップガイド。【選択図】図１３
2017038522.tif 000002
【特許請求の範囲】
【請求項１】
釣り竿の先端部に固定され先端側に仕掛けが配置された釣り糸を選択的に保持する基盤
と、
上記基盤に対して支点軸を中心に回動可能に設けられ、支点軸と交差する前後方向に延
び上記釣り糸を通す通路を有する飛び出し盤と、
を備え、
上記飛び出し盤は、遠投前は上記基盤に対して折れ曲がった静止姿勢にあり、遠投時に
は遠心力によって上記支点軸を中心に回動して解放姿勢に変化するものであり、
上記飛び出し盤が静止姿勢にあるときには上記釣り糸は上記基盤により保持されていて
、上記飛び出し盤が静止姿勢から解放姿勢に変化することにより、上記基盤による釣り糸
の保持が解放され、釣り糸が上記通路を介して飛び出すことを特徴とする自動飛び出し機
能付きトップガイド。
【請求項２】
請求項１記載の自動飛び出し機能付きトップガイドにおいて、
上記釣り糸の途中には静止具が取り付けられていて、上記基盤には上記静止具を収納す
る収納部が設けられていて、
上記通路は上記飛び出し盤が静止姿勢にあるときには上記収納部と分断されていて、上記
収納部に収納された静止具が通路に入り込むことはなく、上記飛び出し盤が静止姿勢から
解放姿勢に変化することにより上記収納部と連通し、上記静止具が遠心力によって上記収
納部から抜け出て前方に飛び出し、
上記収納部における上記静止具の上下位置を調整可能にしたことを特徴とする自動飛び出
し機能付きトップガイド。
【請求項３】
請求項１記載の自動飛び出し機能付きトップガイドにおいて、
上記基盤には上記釣り糸を選択的に挟持する凹凸挟持手段が設けられていて、
上記飛び出し盤が静止姿勢にあるときには上記釣り糸は上記凹凸挟持手段により挟持され
ていて、
上記飛び出し盤が静止姿勢から解放姿勢に変化することにより、上記凹凸挟持手段による
釣り糸の挟持が解除され、上記釣り糸が上記通路を介して飛び出すことを特徴とする自動
飛び出し機能付きトップガイド。
【発明の詳細な説明】
【技術分野】
【０００１】
本発明は海釣りの遠投をするときの仕掛けの飛び出しをトップガイドで自動にする自動飛
び出し機能付きトップガイドに関するものである。
【背景技術】
【０００２】
近年海釣りでの遠投は自動飛び出し機が無く、仕掛けの飛び出しを釣り糸を指で止め解
放する際のタイミングを自ら考えて行っていた。
【先行技術文献】
【特許文献】
【０００３】
【特許文献１】特開２０１３−５９３０１号公報
【特許文献２】特開２００６−１１８６４号公報
【発明の概要】
【発明が解決しようとする課題】
【０００４】
これには次のような欠点があった。
以上に述べた従来の遠投は、釣り糸を指で止め釣竿を大きくふり仕掛けの遠心力で釣竿を
大きく曲げに戻ろうとする力を利用してタイミングを計り指から釣り糸を解放して仕掛け
を海に向かってとばしていた。
このような動作を釣り糸を振るってから１〜２秒の間に行うのだがこれが難しく、タイ
ミングが早いとフライになったり、遅いと海に突き刺さったり、悪くすると釣り糸を切っ
てしまう。
上級者にはよいが子ども、女性、初心者には難しい事であった。
【０００５】
本発明はこの様な従来の問題点を解決しようとするものであり海釣りの遠投での仕掛け
の飛び出しを自動化し遠投が簡単に正確に出来ることを目的とする。
【課題を解決するための手段】
【０００６】
本発明の第一の課題の解決手段は、  釣り竿の先端部に固定され先端側に仕掛けが配置
された釣り糸を選択的に保持する基盤と、  上記基盤に対して支点軸を中心に回動可能に
設けられ、支点軸と交差する前後方向に延び上記釣り糸を通す通路を有する飛び出し盤と
を備え、上記飛び出し盤は、遠投前は上記基盤に対して折れ曲がった静止姿勢にあり、遠
投時には遠心力によって上記支点軸を中心に回動して解放姿勢に変化するものであり、  
上記飛び出し盤が静止姿勢にあるときには上記釣り糸は上記基盤により保持されていて、
上記飛び出し盤が静止姿勢から解放姿勢に変化することにより、上記基盤による釣り糸の
保持が解放され、釣り糸が上記通路を介して飛び出すことを特徴とする自動飛び出し機能
付きトップガイドである。
第二の課題の解決手段は、自動飛び出し機能付きトップガイドにおいて、  上記釣り糸の
途中には静止具が取り付けられていて、上記基盤には上記静止具を収納する収納部が設け
られていて、上記通路は上記飛び出し盤が静止姿勢にあるときには上記収納部と分断され
ていて、上記収納部に収納された静止具が通路に入り込むことはなく、上記飛び出し盤が
静止姿勢から解放姿勢に変化することにより上記収納部と連通し、上記静止具が遠心力に
よって上記収納部から抜け出て前方に飛び出し、上記収納部における上記静止具の上下位
置を調整可能にしたことを特徴とする自動飛び出し機能付きトップガイドである。  
第三の課題の解決手段は、自動飛び出し機能付きトップガイドにおいて、上記基盤には上
記釣り糸を選択的に挟持する凹凸挟持手段が設けられていて、上記飛び出し盤が静止姿勢
にあるときには上記釣り糸は上記凹凸挟持手段により挟持されていて、上記飛び出し盤が
静止姿勢から解放姿勢に変化することにより、上記凹凸挟持手段による釣り糸の挟持が解
除され、上記釣り糸が上記通路を介して飛び出すことを特徴とする自動飛び出し機能付き
トップガイドである。
【発明の効果】
【０００７】
オモリの遠心力の連動で飛び出し盤に伝わり静止具を作動させるので飛び出しの調整が
正確である。
オモリの遠心力が飛び出し盤を回転させ静止具が解放した時、飛び出し盤の回転が速く
なりボールを投げるときの手首を返すのと同じで遠投によい。
【０００８】
飛び出しの調節ができるのでオモリの重さをかえたり、竿をかえたり、投げ釣りのタッ
クルの変化に対応できる。
【０００９】
遠投のとき、釣り糸を止めている指からオモリまでオモリの負荷に負けない様に、従来
１０ｍ位釣り糸を太くし力糸として使用していた。このため飛距離が伸びない。
本発明では力糸は１．５ｍ位でよく、飛距離が伸びる。
又、力糸の伸びが少ないので釣竿に大きい負荷がかかり飛距離が伸びる。
【００１０】
竿先から垂らす仕掛けの長さが釣り糸に取り付けた静止具で決まってしまうので、釣
り糸をまいてきて基盤の静止具の収納場所におさめればよい。
【図面の簡単な説明】
【００１１】
【図１】本発明の斜視図である
【図２】同    側面図である
【図３】同    底面図である
【図４】同    平面図である
【図５】同    基盤の平面図である
【図６】同    基盤の平面図である
【図７】同    基盤の前斜視図である
【図８】同    基盤の後斜視図である
【図９】同    飛び出し盤の斜視図である
【図１０】同    飛び出し盤の背面図である
【図１１】同    飛び出し盤の正面図である
【図１２】同    飛び出し盤の横断面図である
【図１３】本発明の仕掛けを装着した使用状態である
【図１４】本発明の仕掛けを装着した使用状態の断面図である
【図１５】本発明の調整金具部品である
【発明を実施するための形態】
【００１２】
以下、本発明を実施するための形態について説明する。
図１〜図４において、
基盤（1）の前部に飛び出し盤（2）を支点軸（3）で取り付け、基盤（1）の後面の上部に
釣り竿の竿先差し込み穴（6）、下部に釣り糸ガイド穴（5）を設け、後部横上部に竿先固
定ネジ穴（7）を設け、下部前部に支点軸回転止めネジで支点軸（3）を固定し、下面後部
に飛び出し調整ネジ取り付け板取り付けネジ（13）で、飛び出し調整ネジ取り付け板（8
）を取り付ける。
【００１３】
図５〜図８において、
基盤（1）の下面に飛び出し調整ネジ取り付け板取り付けネジ穴（14）支点軸（3）支点軸
回転止ネジ穴（22）を設けた基盤である。    
【００１４】
図９〜図１２において、
飛び出し盤（2)に静止具（19）釣り糸通路（12）静止具通路（11）を設ける。
飛び出し盤（2)の後面は支点軸（3）を中心とした円形をもたせ、静止具（19）が静止か
ら解放されるまでの釣り糸通路（12）を静止具通路（11）の中間部まで山形に設ける。又
、後面の釣り糸通路（12）角は面取りとして静止具（19）が中心に収まりやすく位置移動
がなめらかになるようにする。
静止具通路（11）を飛び出し盤の先端から支点軸（3）の中心部が底となる様に後部まで
抜いて設ける。
【００１５】
図１３〜図１５において、
飛び出し調整ネジ取り付け板（8）に飛び出し調整ネジ（4）を丸い溝が前後な様に飛び出
し調整ネジ取り付けネジ穴（16）に取り付け、ここで飛び出し調整ネジを上下して飛び出
しを調整し、又、調整ネジが飛び出し盤（2）の回転時に接触しない様にする調整が終わ
ったら飛び出し調整ネジ取り付け板取り付けネジを締める。飛び出し調整ネジ回転止めネ
ジ（9）も締める。      
【００１６】
飛び出し調整ネジ取り付け板（8）を飛び出し調整ネジ取り付け板取り付けネジ（13）で
基盤の下面に飛び出し調整ネジ（4）を静止具収納面を上部にして丸い溝を前後向きとす
る。なお、調整が終わったら調整ネジ静止ボルト（9）で当て締めする。又、
静止具収納部が飛び出し盤と接触しない様に飛び出し調整ネジ取り付け板取り付けネジ（
13）で基盤に取り付ける。
釣り糸（20）に取り付けた静止具が飛び出し盤の後部で静止させ、先端から釣り糸を出し
て仕掛けを取り付け遠投するものである。竿先（18）を基盤の竿先差し込み穴（6）に差
して竿先固定ボルト（17）で接続する。この様にして竿を振って遠投すると、仕掛けの遠
心力で飛び出し盤が回転して後部静止具（19）が解放され飛び出し盤の静止具通路（11）
を通過して海に向かって飛び出して行くものである。飛び出しの調整は飛び出し調整ネジ
（4）で静止具の収納部を解放地点に近付けると早くなり、遠くすれば遅くなる自動飛び
出し機能付きトップガイド。
【符号の説明】
【００１７】
１  基盤
２  飛び出し盤
３  支点軸
４  飛び出し調整ネジ
５  釣り糸ガイド穴
６  竿先差し込み穴
７  竿先固定ネジ穴
８  飛び出し調整ネジ取り付け板
９  飛び出し調整ネジ回転止めネジ
１０  支点軸回転止めネジ
１１  静止具通路
１２  釣り糸通路
１３  飛び出し調整ネジ取り付け板取り付けネジ
１４  飛び出し調整ネジ取り付け板取り付けネジ穴
１５  調整ネジ取り付け板前後移動調整穴
１６  飛び出し調整ネジ取り付けネジ穴
１７  竿先固定ボルト
１８  竿先
１９  静止具
２０  釣り糸
２１  仕掛け
２２  支点軸回転止ネジ穴
【図１】
2017038522.tif 000003
【図２】
2017038522.tif 000004
【図３】
2017038522.tif 000005
【図４】
2017038522.tif 000006
【図５】
2017038522.tif 000007
【図６】
2017038522.tif 000008
【図７】
2017038522.tif 000009
【図８】
2017038522.tif 000010
【図９】
2017038522.tif 000011
【図１０】
2017038522.tif 000012
【図１１】
2017038522.tif 000013
【図１２】
2017038522.tif 000014
【図１３】
2017038522.tif 000015
【図１４】
2017038522.tif 000016
【図１５】
2017038522.tif 000017